(57)【要約】金属シート修理装置および同装置の操作方法が提供される。装置は、フレームと、フレーム上の取り付け機能部とを含むベースユニットと、金属シートの損傷部分を切り取るためにベースユニットに取り外し可能な切断ユニットと、ベースユニットに取り外し可能に取り付けられた溶接ユニットと、を備える。切断ユニットは、切断ブレードを含む切断アームと、切断アームを操作するためのモータとを含む。溶接ユニットは、固定プラットフォームと、固定プラットフォーム上で移動可能なプラットフォームを移動するための溶接移動モータと、移動可能にプラットフォームに取り付けられた溶接アセンブリとを含み、交換片を自動的に金属シートに溶接する。操作中、フレームは、損傷部分の切断時および交換片の溶接時に、金属シートに連続的に取り付けられ、安定した繰り返し可能な基準フレームを提供する。【選択図】図３Ｅ
2020518481.tif 000002
【特許請求の範囲】
【請求項１】
金属シート修理装置において、
ベースユニットであって、
フレームと、
前記フレームの底面に取り付けられた複数の取り付け機能部と、
前記フレームに取り付けられた複数のガイドピンと、
を含むベースユニットと、
金属シートの損傷部分を切り取るように構成された切断ユニットであって、
軸バーと、
前記切断ユニットに回転切断力を提供するためのモータと、
前記モータと前記軸バーの下に位置し、少なくとも１つの切断刃を含む切断アームと、
前記軸バー上に位置し、前記切断ユニットを前記ベースユニットに取り外し可能に取り付けるための、前記複数のガイドピンにそれぞれ対応する複数の切断ユニットガイド孔と、
を含む切断ユニットと、
溶接ユニットであって、
溶接ユニットを前記ベースユニットに取り外し可能に取り付けるための、前記複数のガイドピンにそれぞれ対応する複数の溶接ユニットガイド孔、を含む固定プラットフォームと、
前記固定プラットフォーム上のギヤリングと、
前記ギヤリングの上方の回転プラットフォームを回転するための溶接回転モータと、
前記ギヤリングに接触するように構成されたドライブギヤであって、前記ギヤリング上方の前記回転プラットフォームを回転させるために前記溶接回転モータによって回転するようにさらに構成されているドライブギヤと、
交換金属片を前記金属シートに自動的に溶接するように構成され、溶接を行うように構成されたトーチを含む溶接アセンブリと、
を含む溶接ユニットと、
を備えた金属シート修理装置。
【請求項２】
前記複数の取り付け機能部は、真空カップを含み、
前記ベースユニットは、さらに、前記真空カップを前記金属シートに取り付けるための真空圧力を受けるために前記真空カップに接続された真空コネクタを含む、請求項１に記載の装置。
【請求項３】
前記溶接アセンブリは、さらに、前記トーチと溶接ワイヤとの位置を調節するための少なくとも１つの手動調節制御部を含む、請求項１または２に記載の装置。
【請求項４】
前記溶接アセンブリに前記溶接ワイヤを提供するように構成されたワイヤフィードをさらに備え、
前記ワイヤフィードは、
溶接ワイヤのスプールを保持するように構成されたスプールホルダと、
前記スプールホルダをサポートするように構成されたスプールアームと、を含む、請求項１から３のいずれか一項に記載の装置。
【請求項５】
前記溶接ユニットは溶接制御ユニットをさらに含み、
前記溶接制御ユニットは、
ハウジングと、
電力ユニットに電気的に接続された非常停止制御部と、
ワイヤ速度制御部と、
溶接アセンブリ回転速度制御部と、
前記溶接ワイヤの供給と方向を制御する第１のスイッチと、
前記溶接アセンブリの回転方向を制御する第２のスイッチと、を含む、請求項１から４のいずれか一項に記載の装置。
【請求項６】
前記フレームは、さらに、
複数の層と、
内側リングと、を含み、前記内側リングは、前記複数のガイドピンが当該内側リングと前記複数の層のうち１つの層との間に位置するように、前記複数の層のうちの前記１つの層の円周の内側に配置される、請求項１から５のいずれか一項に記載の装置。
【請求項７】
前記真空コネクタは、角度カップリング上のニップルを含む、請求項２から６のいずれか一項に記載の装置。
【請求項８】
前記ベースユニットは、さらに、前記フレームの上面上に１つ以上のハンドルを含む、請求項１から７のいずれか一項に記載の装置。
【請求項９】
前記切断ユニットは、さらに、
前記切断モータの下方のハンドルと、
切断動作を保護するために前記フレームの内側の円周を実質的にカバーするように構成された保護カバーと、
前記切断アームを保持するように構成されたカッターホルダと、を含む、請求項１から８のいずれか一項に記載の装置。
【請求項１０】
前記切断ユニットは、さらに、
前記切断モータユニットを保持するように構成されたモータシャフトと、
前記切断アームの高さを調節するように構成された高さ調節リングと、
スプリットリングと、
前記軸バーが伸びるハブと、
上方離間ベアリングと、
軸ベアリングと、
下方離間ベアリングと、を含む、請求項１から９のいずれか一項に記載の装置。
【請求項１１】
前記切断アームは、さらに、
切断バーアームと、
前記切断バーアーム内の少なくとも１つの切断刃孔であって、前記少なくとも１つの切断刃に対応し、該少なくとも１つの切断刃を保持する少なくとも１つの切断刃孔と、を含む、請求項１から１０のいずれか一項に記載の装置。
【請求項１２】
前記溶接ユニットは、さらに、
前記溶接回転モータを前記回転プラットフォームに取り付けるために構成された第１のヒンジと、
前記溶接回転モータを前記回転プラットフォームに取り付けるために構成されたトレイと、
前記溶接回転モータを前記回転プラットフォームに取り付けるために構成された第２のヒンジと、
前記溶接回転モータを保持するように構成されたモータマウントと、
前記モータマウントに取り付けられたロックブラケットと、
前記モータマウントに取り付けられたサイドブラケットと、を含む、請求項１から１１のいずれか一項に記載の装置。
【請求項１３】
金属シート修理装置の操作方法であって、該方法は、
金属シートの損傷領域のサイズに基づいて修理直径を決定することと、
前記損傷領域にわたって、前記金属シートの第１の表面に直接ベースユニットを取り付けることと、
前記ベースユニットに切断ユニットを取り付けることと、
前記切断ユニットによって、前記金属シートの前記損傷領域を切り取ることと、
前記金属シートから前記ベースユニットを取り外すことなく、前記ベースユニットから前記切断ユニットを取り外すことと、
前記ベースユニットが前記金属シートに取り付けられたままで、前記金属シートの損傷領域を取り除くことと、
前記ベースユニットが取り付けられた前記金属シートの前記第１の表面とは反対側の、前記金属シートの第２の表面に、バッキングサポートを取り付けることと、
交換ディスクの上面が前記金属シートの前記第１の表面と同一レベルとなるように、前記交換ディスクが前記バッキングサポートによってサポートされた状態で、前記交換ディスクを、前記損傷領域を取り外した後に前記金属シートに残る修理穴に配置することと、
溶接ユニットを前記ベースユニットに取り付けることと、
前記溶接ユニットによって、自動的に前記金属シートに前記交換ディスクを溶接することと、
を含む、方法。
【請求項１４】
前記金属シートの損傷領域を取り除いた後であって、前記バッキングサポートを取り付ける前に、前記修理穴の内面を洗浄することをさらに含む、請求項１３に記載の方法。
【請求項１５】
前記修理穴の内面を洗浄することは、
バリを取り除くことと、
交換ディスクを受け取るための前記修理穴の内面をなめらかにすることと、を含む、請求項１３または１４に記載の方法。
【請求項１６】
前記交換ディスクを洗浄することをさらに含む、請求項１３から１５のいずれか一項に記載の方法。
【請求項１７】
前記交換ディスクは、修理直径に対応するブランク直径にプリカットされている、請求項１３から１６のいずれか一項に記載の方法。
【請求項１８】
前記交換ディスクは、前記金属シートと同一材料を含む、請求項１３から１７のいずれか一項に記載の方法。
【請求項１９】
前記金属シートはスチール材を含む、請求項１３から１８のいずれか一項に記載の方法。
【請求項２０】
前記金属シートはスチールベルトである、請求項１３から１９のいずれか一項に記載の方法。
【請求項２１】
前記溶接することは、前記溶接ユニットの１回転で行われる、請求項１３から２０のいずれか一項に記載の方法。
【請求項２２】
前記溶接ユニットを取り外すことと、
前記金属シートから前記ベースユニットを取り外すことと、
前記バッキングサポートを取り外すことと、
前記金属シート上に平らな修理面を生成するために、溶接部の任意の隆起部分を研磨することと、をさらに含み、
前記バッキングサポートを取り外すことは、前記溶接ユニットを取り外すこと
および前記前記ベースユニットを取り外すことの前に、または、後に行われ、
前記溶接ユニットは、単独で、または、前記ベースユニットにまだ取り付けられた状態で取り外される、請求項１３から２１のいずれか一項に記載の方法。
【請求項２３】
溶接部をアニールすることをさらに含む、請求項１３から２２のいずれか一項に記載の方法。
【請求項２４】
前記ベースユニットは、該ベースユニット上の真空カップによって前記金属シートに取り付けられる、請求項１３から２３のいずれか一項に記載の方法。
【請求項２５】
請求項１から１２のいずれか一項に記載の装置を操作する方法であって、
前記金属シートの損傷部分にわたって、前記金属シートの第１の表面に直接、前記ベースユニットを取り付けることと、
前記ベースユニットに前記切断ユニットを取り付けることと、
前記切断ユニットによって、前記金属シートの損傷部分を切り取ることと、
前記金属シートから前記ベースユニットを取り外すことなく、前記ベースユニットから前記切断ユニットを取り外すことと、
前記ベースユニットが前記金属シートに取り付けられたままで、前記金属シートの損傷部分を取り除くことと、
前記ベースユニットが取り付けられた前記金属シートの前記第１の表面とは反対側の、前記金属シートの第２の表面に、バッキングサポートを取り付けることと、
交換ディスクの上面が前記金属シートの前記第１の表面と同一レベルとなるように、前記交換ディスクがバッキングサポートでサポートされた状態で、前記交換ディスクを、損傷領域を取り外した後に前記金属シートに残る修理穴に配置することと、
前記溶接ユニットを前記ベースユニットに取り付けることと、
前記溶接ユニットによって、自動的に前記金属シートに前記交換ディスクを溶接することと、
前記ベースユニットから前記溶接ユニットを取り外すことと、
前記金属シートから前記ベースユニットを取り外すことと、
を含む、方法。
【請求項２６】
金属シート修理装置において、
ベースユニットであって、
フレームと、
前記フレームに取り付けられた少なくとも１つの取り付け機能部と、
前記フレームに取り付けられた複数のガイドピンと、
を含むベースユニットと、
金属シートの損傷部分を切り取るように構成され、前記ベースユニットに取り外し可能な切断ユニットであって、
少なくとも１つの切断刃を含む切断アームと、
前記切断アームを操作するためのモータと、
を含む切断ユニットと、
前記ベースユニットに取り外し可能な溶接ユニットであって、
固定プラットフォームと、
前記固定プラットフォームの上で可動プラットフォームを移動するための溶接移動モータと、
交換金属片を前記金属シートに自動的に溶接するように構成され、前記可動プラットフォームに取り付けられている溶接アセンブリと、
を含む溶接ユニットと、
を備えた、金属シート修理装置。
【請求項２７】
金属シート修理装置の操作方法であって、該方法は、
損傷領域にわたって、金属シートの表面に直接ベースユニットを取り付けることと、
前記ベースユニットに切断ユニットを取り付けることと、
前記切断ユニットによって、前記金属シートの前記損傷領域を切り取ることと、
前記金属シートから前記ベースユニットを取り外すことなく、前記ベースユニットから前記切断ユニットを取り外すことと、
前記ベースユニットが前記金属シートに取り付けられたままで、前記金属シートの損傷領域を取り除くことと、
溶接ユニットを前記ベースユニットに取り付けることと、
前記溶接ユニットによって、自動的に前記金属シートに交換ディスクを溶接することと、
を含む、方法。
【請求項２８】
前記切り取ること、前記取り外すこと、および溶接することは、前記金属シートの表面から前記ベースユニットを取り外すことなく完了する、請求項２７に記載の方法。
【発明の詳細な説明】
【技術分野】
【０００１】
本開示は、金属シートを修理する装置、および、金属シート、例えばスチールベルト内の金属シートを修理する装置を操作する方法に関する。また、本開示は、金属シートを修理する方法に関する。より詳細には、本開示は、金属、例えば、スチール、ベルトの損傷領域を取り除き、また、エッジ研磨を必要とせずに損傷領域を新しい金属片に置き換えることに関する。本開示は、さらに、新しい金属片の自動溶接操作に関する。損傷領域の除去、新しい金属片との交換、および溶接は、装置を移動または再配置することなく行われる。
【背景技術】
【０００２】
次の説明では、特定の構造および／または方法が参照される。しかしながら、以下の参照は、これらの構造および／または方法が先行技術を構成することを認めるものとして解釈されるべきではない。出願人は、そのような構造および／または方法が本発明に対して従来技術として適格でないことを証明する権利を明示的に留保する。
【０００３】
図１は、従来のスチールベルトの側面図である。図１は、スチールベルト１００を示し、これは、２つのエンドドラム１２０、１３０の周りにベルト形状に包まれたスチールシート１１０を含む。エンドドラム１２０、１３０は、エンドドラム１２０、１３０の周りにスチールシートを連続的に供給するために同期して回転し、コンベアベルトを提供する。このタイプのベルトは「エンドレスベルト」とも呼ばれる。スチールベルト１００は、様々な製造プロセスで使用され、例えば、数メートル幅と数十メートルの長さに、非常に大きくすることができる。
【０００４】
使用中に、スチールシート１１０に欠陥が生じ得る。例えば、ひび割れ、破損、または摩耗は、エンドドラム１２０、１３０の周りのスチールシート１１０の曲げを含む使用のストレスによって引き起こされ得る。これらの欠陥は、多くの場合、スチールシート１１０全体を取り外さずに修理する必要がある。スチールシート１１０の大きなサイズのため、それは非常に重く、取り外すのが面倒である。
【０００５】
欠陥を修理する１つの方法は、欠陥の周りに穴を開け、その後、所定の場所に溶接された新しいスチール片に交換することである。従来、これは欠陥を含む特定のサイズの領域を切り取り、その後、切り取り領域を同じサイズの新しいスチール片に置き換えることによって行うことができる。
【０００６】
しかしながら、従来の修理方法では、切り取りの大きさは一般に限られており、すなわち、約７５ｃｍ２に制限されており、そのため、より大きな欠陥は、単一の切り取りでは修理できない。また、従来の修理方法では、損傷した領域の切断時にブレース（ｂｒａｃｉｎｇ）構造が使用され、溶接サポート構造を配置し、新しいピースを配置する前に、除去される必要がある。このことは、プロセスを複雑にし、欠陥や望ましくない結果をもたらす。その結果、従来の方法は、トーチランプを用いた手動溶接を必要とし、時間がかかる可能性がある。さらに、手動溶接は、スチールベルト１００の上面からと、次いで下からの２度行わなければならない。
【発明の概要】
【０００７】
従って、本開示は、従来の制限および欠点に起因する１つ以上の課題を実質的に排除する金属シート修理装置、および同装置の操作方法に向けられる。
【０００８】
本開示の目的は、金属シートを支えるベースユニットが、金属シートを修理するための切断および溶接操作の全体を通じて、金属シートに連続的に接触したまま、および／または、連続的に取り付けられたままの状態とする手段を含む金属シート修理装置を提供することである。
【０００９】
本開示の別の目的は、切り取る面積が従来の方法よりも大きい金属シート修理装置を提供することにある。
【００１０】
本開示の別の目的は、交換金属ディスクを切り取り場所に自動的に溶接する金属シート修理装置を提供することにあり、その代替として、金属シート上の修理位置に関しての装置のいかなる移動または再配置なしに、交換金属ディスクを切り取り場所に自動的に溶接する金属シート修理装置を提供することにある。
【００１１】
本開示の別の目的は、他方からの溶接を必要とせずに金属シートの片側のみから溶接を行う金属シート修理装置を提供することにある。
【００１２】
追加の特徴および利点は、以下の説明に記載され、部分的には説明から明らかにされ、または、発明の実践によって知られてもよい。開示の目的およびその他の利点は、特に、書面による説明、および特許請求の範囲、および添付図面において指摘された構造によって、実現され、達成されるであろう。
【００１３】
これらおよびその他の利点を達成するために、および、本開示の目的に従って、具現化され、広く説明されているように、ここでは以下の金属シート修理装置が提供される。その装置は、フレームと、フレームの底面に取り付けられた複数の取り付け機能部（ａｔｔａｃｈｍｅｎｔ  ｆｅａｔｕｒｅ）と、フレームに取り付けられた複数のガイドピンと、を含むベースユニットと、金属シートの損傷部分を切り取るように構成された切断ユニットであって、軸バーと、切断ユニットに回転切断力を提供するためのモータと、モータと軸バーの下に位置し、少なくとも１つの切断刃を含む切断アームと、軸バー上に位置し、切断ユニットをベースユニットに取り外し可能に取り付けるための、複数のガイドピンにそれぞれ対応する複数の切断ユニットガイド孔と、を含む切断ユニットと、溶接ユニットをベースユニットに取り外し可能に取り付けるための、複数のガイドピンにそれぞれ対応する複数の溶接ユニットガイド孔、を含む固定プラットフォームと、固定プラットフォーム上のギヤリングと、ギヤリング上方の回転プラットフォームを回転するための溶接回転モータと、ギヤリングに接触するように構成されたドライブギヤであって、ギヤリング上方の回転プラットフォームを回転させるために溶接回転モータによって回転するようにさらに構成されているドライブギヤと、交換金属片を金属シートに自動的に溶接するように構成され、溶接を行うように構成されたトーチを含む溶接アセンブリと、を含む溶接ユニットと、を備える。
【００１４】
別の態様では、金属シート修理装置の操作方法が提供され、その方法は、金属シートの損傷領域のサイズに基づいて修理直径を決定することと、損傷領域にわたって、金属シートの第１の表面に直接ベースユニットを取り付けることと、ベースユニットに切断ユニットを取り付けることと、切断ユニットによって、金属シートの損傷領域を切り取ることと、金属シートからベースユニットを取り外すことなく、ベースユニットから切断ユニットを取り外すことと、ベースユニットが金属シートに取り付けられたままで、金属シートの損傷領域を取り除くことと、ベースユニットが取り付けられた金属シートの第１の表面とは反対側の、金属シートの第２の表面に、バッキングサポートを取り付けることと、交換ディスクの上面が金属シートの第１の表面と同一レベルとなるように、交換ディスクがバッキングサポートによってサポートされた状態で、交換ディスクを、損傷領域を取り外した後に金属シートに残る修理穴に配置することと、溶接ユニットをベースユニットに取り付けることと、溶接ユニットによって、自動的に金属シートに交換ディスクを溶接することと、を含む。
【００１５】
別の側面では、金属シート修理装置が提供され、その装置は、フレームと、フレームに取り付けられた少なくとも１つの取り付け機能部と、フレームに取り付けられた複数のガイドピンと、を含むベースユニットと、金属シートの損傷部分を切り取るように構成され、ベースユニットに取り外し可能な切断ユニットであって、少なくとも１つの切断刃を含む切断アームと、切断アームを操作するためのモータと、を含む切断ユニットと、ベースユニットに取り外し可能な溶接ユニットであって、固定プラットフォームと、固定プラットフォーム上で可動プラットフォームを移動するための溶接移動モータと、交換金属片を金属シートに自動的に溶接するように構成され、可動プラットフォームに取り付けられている溶接アセンブリと、を含む溶接ユニットと、を備える。
【００１６】
別の態様では、金属シート修理装置の操作方法が提供され、その方法は、損傷領域にわたって、金属シートの表面に直接ベースユニットを取り付けることと、ベースユニットに切断ユニットを取り付けることと、切断ユニットによって、金属シートの損傷領域を切り取ることと、金属シートからベースユニットを取り外すことなく、ベースユニットから切断ユニットを取り外すことと、ベースユニットが金属シートに取り付けられたままで、金属シートの損傷領域を取り除くことと、溶接ユニットをベースユニットに取り付けることと、溶接ユニットによって、自動的に金属シートに交換ディスクを溶接することと、を含む。
【００１７】
その他のシステム、方法、特徴、および利点は、以下の図面および詳細な説明の検討の際に、当業者には明白であるか、または明白となるであろう。全てのそのような追加のシステム、方法、特徴、および利点は、本説明内、本開示の範囲内であり、以下の特許請求の範囲によって保護されることが、意図される。このセクションのいかなるものも、これらの特許請求の範囲の制限として考慮されるべきではない。さらなる側面および利点は、本開示の実施形態と共に以下で議論される。本開示の上記の一般的な説明、および、以下の詳細な説明の両方が、例と説明であり、特許請求の範囲の記載のように、開示のさらなる説明を提供することを意図したものであることが理解されるべきである。
【００１８】
本発明のさらなる理解を提供するために含まれており、また、明細書の一部を構成する添付の図面は、本発明の実施を例示し、記述とともに、開示の本質の説明に役立つ。
【図面の簡単な説明】
【００１９】
【図１】従来のスチールベルトの側面図である。
【図２Ａ】本開示の実施例に係る金属シート修理装置のベースユニットの側面図である。
【図２Ｂ】図２Ａのベースユニットの斜視図である。
【図３Ａ】本開示の実施例に係る金属シート修理装置の切断ユニットの斜視図である。
【図３Ｂ】図３Ａの切断ユニットの側面図である。
【図３Ｃ】切断ユニットの、図３ＢのラインＡ−Ａ’に沿った断面図である。
【図３Ｄ】本開示の実施例に係る、図２Ａのベースユニットおよび図３Ａの切断ユニットを含む切断構成における、金属シート修理装置の断面図である。
【図３Ｅ】図３Ｄの切断構成における装置の斜視図である。
【図３Ｆ】図３Ｂの切断ユニットに含まれる切断アームの側面図である。
【図４Ａ】本開示の実施例に係る金属シート修理装置の溶接ユニットの側面図である。
【図４Ｂ】本開示の実施例に係る、図２Ａのベースユニットおよび図４Ａの溶接ユニットを含む溶接構成における、金属シート修理装置の側面図である。
【図４Ｃ】図４Ｂの溶接構成における装置の上面図である。
【図４Ｄ】図４Ａの溶接ユニットの斜視図である。
【図５】図４Ａの溶接ユニットに含まれる溶接アセンブリの斜視図を示す。
【図６】図５の溶接トーチアセンブリの動作を制御する溶接制御ユニットの側面図である。
【図７】図６の溶接制御ユニット用の配線図である。
【図８】本開示の実施形態に係る金属シート修理装置例を操作する方法例を示すフローチャートである。
【発明を実施するための形態】
【００２０】
図面と詳細な説明を通じて、特に記載されない限り、同一の図面参照番号は、同一の要素、特徴、および構造を参照することを理解されたい。これらの要素の相対的な大きさと描写は、明確さ、説明、および利便性のために誇張されることがある。
【００２１】
以下の詳細な説明では、添付の図面が参照され、図面は、詳細な説明の一部を形成する。図面において、異なる図面における類似または同一の符号の使用は、文脈上他の指示がない限り、通常、類似または同一の物を示す。
【００２２】
詳細な説明、図面、および特許請求の範囲において説明された例示的な実施形態は、限定することを意味していない。他の実施形態も利用され得、また、ここで提示される主題の趣旨または範囲から逸脱することなく、他の変更が行われ得る。説明されているプロセスステップおよび／または工程の進行状況は、一例である。しかしながら、ステップおよび／または工程の順序は、本明細書に定めるものに限定されず、当該技術分野で知られているように、特定の順序で起こるステップおよび／または工程を除いて、変更され得る。
【００２３】
当業者は、本明細書において説明されている構成要素（例えば、操作）、デバイス、対象物、および、それらに付随する議論が概念的な明確さのために例として使用され、様々な構成の変更が意図されることを認識するであろう。したがって、本明細書で使用される場合、特定の例示および付随する議論は、より一般的なクラスの代表であることが意図されている。一般に、任意の特定の例示の使用は、そのクラスの代表であることが意図され、特定の構成要素（例えば、操作）、デバイス、および対象物を含まないことは、制限として取られるべきではない。
【００２４】
本出願は、提示を明確にするために、形式的なアウトライン見出しを使用する。しかしながら、アウトラインの見出しは提示を目的としていること、および、本出願全体において様々な種類の主題について議論され得ること（例えば、デバイス／構造は、プロセス／工程の見出しの下で説明され得、および／または、プロセス／工程は、構造／プロセスの見出しの下で議論され得、および／または、単一のトピックの説明は、２つ以上のトピックの見出しに及び得る）が理解されるべきである。したがって、形式的なアウトラインの見出しの使用は、決して限定を意図しない。
【００２５】
＜装置の説明＞
【００２６】
図２Ａは、本開示の実施例に係る金属シート修理装置のベースユニットの側面図である。図２Ｂは、図２Ａのベースユニットの斜視図である。図２Ａおよび２Ｂを参照すると、ベースユニット２００はフレーム２１０を含む。フレーム２１０は、例えば、円形状または環形状であってもよく、実施形態はこれらに限定されない。円形状または環形状は、他の機能部との干渉を最小限に抑えて装置の機能部を回転させることができる。円形状または環形状は、複数のオーバーレイパス（ｏｖｅｒｌａｙｉｎｇ  ｐａｓｓ）によって、例えば、デカルト寸法よりも単純な半径寸法によって、切断の場所を決定および／または追跡するために使用され、操作することもできる。別の例として、円形状または環形状は、他の形状に必要な場合よりも簡単なエンジニアリング設計として回転モータを使用することを可能にする。円形状または環形状は、応力集中コーナーがないため、スチールベルトのより良い安定化を可能にする可能性があるため、結果は他の形状よりも改善される可能性がある。フレーム２１０の直径は、フレーム２１０内にあるべき修理領域の最大直径を定義する。実施形態では、最大修理直径は４８０ｍｍであり得るが、より大きな最大修理直径が考えられる。修理直径は、例えば、損傷領域の大きさに基づいて、利用可能な修理材料などに基づいて、修理領域を最小化または縮小するために選択され得る。なお、最大径内では、より小さい直径の修理が行われ得る。たとえば、一部の修理直径は、２１０ｍｍ、３００ｍｍ、４００ｍｍ、４８０ｍｍなどである。いくつかの実施形態では、フレーム２１０は、複数の層、例えば、層（２１１−２１６）を含み得る。層は、例えば、アルミニウム、およびユーザによる持ち運びを容易にするために、固体ワンピース（ｓｏｌｉｄ  ｏｎｅ−ｐｉｅｃｅ）構造のフレームよりも軽量であってもよい。層数は、図示の例に限定されない。フレーム２１０は、さらに、内側リング、例えばリング２１７を、１つ以上の層の円周の内側に含んでもよい。ベースユニット２００は、使用のために、切断ユニット（例えば、以下の図３Ａの切断ユニット３００）と溶接ユニット（例えば、以下の図４Ａの溶接ユニット４００）とを、ベースユニット２１０の上方の位置に導くための複数のガイドピン２２０を含んでいてもよい。ガイドピン２２０は、いずれかの層（２１１−２１６）と内側リング２１７との間に配置されてもよい。層は、また、本明細書に記載されている装置の様々な他の機能部、例えば、取り付け機能部を収容するための切り抜き、様々な相互接続ファスナー、および／または、電源、真空、および制御機能部のためのコンジット、並びに、重量を考慮するための領域の削除、に適応させるために、サイズ化され、および／または、形成されてもよい。
【００２７】
なお、本明細書で説明する実施形態の例では円形の修理領域について議論するが、正方形、長方形、三角形、八角形、正多角形、不規則な多角形、自由形状等の他の形状を使用することが可能であることに留意すべきである。修理領域、修理領域の形状、切断形状、溶接パターンに他の形状を使用する場合、当業者には理解されるように、例えば、装置および／または修理領域の形状に対して、適切に調節される。
【００２８】
ベースユニット２００は、複数の取り付け機能部を含む。取り付け機能部は、スチールベルト１１０にベースユニットを固定する。取り付け機能部の例としては、真空カップ２３０が挙げられる。図２Ｂに示される例では、８個の真空カップ２３０が示されている。しかしながら、実施形態はこれらに限定されない。例えば、磁気または接着剤を用いた取り付け機能部などの異なるタイプの取り付け機能部を利用したり、そのような機能部を組み合わせることができる。さらに、取り付け機能部の数は、本明細書で議論される方法で装置を安全に配置するために、例えば、金属シートを修理するための切断および溶接工程を通じて連続的に、反りを低減または最小化するために、金属シートが安定したフラットな構成となり、さらに、修理が完了したときに装置を取り外すことができるように、必要に応じて変化し得る。言い換えれば、操作中において、ベースユニットのフレームが、損傷部の切断および交換部の溶接の間において金属シートに連続的に取り付けられ、それは、安定かつ繰り返し可能な、装置の操作のための基準フレーム（ｆｒａｍｅ  ｏｆ  ｒｅｆｅｒｅｎｃｅ）を提供する。関連技術では、溶接用の設置のために切断後にベースを取り外すと、下に位置する金属シートの一部の動きが原因で交換片のフィット性が悪くなり、最終的な修理表面は、実施形態による修理表面よりも平面性が低くなる場合がある。さらに、繰り返し可能な基準フレームによって、溶接位置を切断位置に基づいて自動的に決定できるため、自動溶接を、ずれなしで行うことができる。
【００２９】
取り付け機能部が真空カップを含む例では、真空カップ２３０は、真空圧（または吸引）によって金属シートに貼り付けられ、金属シートを修理するための切断および溶接工程を通して連続的に所定の場所に残る。真空カップ２３０をベースユニット２００の周囲にリング形状に使用することは、金属シートの反りを低減または最小化するために、金属シートを安定した平坦な構成で維持する。真空ユニット（図示せず）は、角度カップリング（ａｎｇｕｌａｒ  ｃｏｕｐｌｉｎｇ）２４５上のニップル２４０によってベースユニット２００に取り付けられてもよい。また、真空ユニットは、例えば空気を圧縮することによって真空圧を提供してもよい。真空圧は、最小値６バールまたは６００リットル／分であってもよいが、実施形態はこれらに限定されない。例えば、真空カップ２３０は、異なる真空圧、例えば、より少ない真空圧を必要としてもよい。ベースユニット２００は、装置の操作前後にベースユニット２００を位置決め、および移動するための１つまたは複数のハンドル２５０をさらに含んでもよい。金属シートは、例えば、スチールであってもよく、また上述したスチールベルトの一部であってもよい。しかしながら、実施形態はこれらに限定されない。
【００３０】
図３Ａ〜３Ｆは、切断ユニット３００の実施形態例の概略図である。図３Ａは、本開示の実施形態に係る金属シート修理装置の切断ユニットの斜視図である。図３Ｂは、図３Ａの切断ユニットの側面図である。図３Ｃは、図３ＢのラインＡ−Ａ’に沿った切断ユニットの断面図である。図３Ｄは、本開示の実施形態による、図２Ａのベースユニットおよび図３Ａの切断ユニットを含む切断構成における、金属シート修理装置の断面図である。図３Ｅは、図３Ｄの切断構成における装置の斜視図である。図３Ｆは、図３Ｂの切断ユニットに含まれる切断アームの側面図である。
【００３１】
図３Ａから図３Ｆを参照すると、図示された切断ユニット３００は、ユーザが切断ユニット３００を移動または回転するためのハンドル３０５、切断ユニット３００に対する回転切断力を提供するための、ハンドル３０５の上方の切断モータユニット３１０、軸バー３２０、保護カバー３２５、カッターホルダ３３０、および、カッターホルダ３３０によって保持される切断アーム３５０を含む。軸バー３２０は、少なくとも２本の腕を含む。図３Ａの例には４本の腕が示されているが、実施形態はこれらに限定されない。軸バー３２０の各腕は、それぞれの切断ユニットガイド孔３２１を含んでいてもよい。切断ユニットガイド孔３２１は、図３Ｄに示すように、使用のためにベースユニット２００の上方に切断ユニット３００を安定かつ安全に配置するために、ガイドピン（例えば、上記図２Ｂのガイドピン２２０）に対応し、配置されてもよい。例えば、各切断ユニットガイド孔３２１は、切断ユニットがベースユニット２００の上方に配置される場合に、切断ユニット２００に横方向の安定性を提供するために、それぞれのガイドピン２２０の上方をスライドしてガイドピン２２０を囲むようにしてもよい。図３Ｄに示すように、切断ユニット３００がベースユニット２００の上方に固定された場合、切断アーム３５０はフレーム２１０の円周内に配置される。
【００３２】
切断ユニット３００がベースユニット２００の上方に固定されると、保護カバー３２５は、実質的に開口部を覆う、例えば、開口部の少なくとも９０％を覆い、開口部を完全に覆わない場合であっても、例えば開口部の１００％を覆わない場合であっても、例えば、切断工程を保護し、および、フレーム２１０の外に出る、金属シートからの、例えば金属削り出し片の量を減らすために、フレーム２１０の内周を覆う。保護カバー３２５は、例えば、通気または可視性のためのスロットまたは穴を含み得る。保護カバー３２５は、切断ユニットガイド孔３２１によって定義される円周の内側に収まってもよい。しかしながら、保護カバー３２５が切断ユニットガイド孔３２１によって定義された円周の内側に収まらない場合は、保護カバー３２５はフレーム２１０の上面上に配置される。切断ユニット３００がベースユニット２００の上方に固定されている場合、保護カバー３２５は、フレーム２１０の上端の下に、全体的または部分的に凹んでいるか、又は、フレーム２１０の上端に、もしくは上端よりも上に位置していてもよい。しかしながら、保護カバー３２５は切断工程を妨げてはならない。
【００３３】
切断ユニット３００は、さらに、切断モータユニット３１０を保持するためのモータシャフト３４０、切断アーム３５０の高さを調節するための高さ調節リング３４１、スプリットリング３４２、および、軸バー３２０が延びるハブ３４３、上方離間（ｕｐｐｅｒ  ｄｉｓｔａｎｃｅ）ベアリング３４４、軸（ａｘｉａｌ）ベアリング３４５、および下方離間（ｌｏｗｅｒ  ｄｉｓｔａｎｃｅ）ベアリング３４６を含んでもよい。金属シートを切断するために、１つ以上の切断刃３５１が切断アーム３５０に取り付けられてもよい。
【００３４】
図３Ｆの例に示すように、切断アーム３５０は、１つ以上の切断刃３５１を含んでいてもよい。２枚の切断刃が図３Ｆに例示されているが、実施形態はこれらに限定されない。切断刃３５１は、例えば、カーバイドカッターであってもよく、実施形態はこれらに限定されない。ディスク３５５を切断するために各切断刃３５１が配置された各切断刃孔３５３を含む切断バーアーム３５２に、切断刃３５１が配置されてもよい。図３Ｆにおいて、その中に配置された切断刃３５１を有する切断刃孔３５４が、シェーディングされている。切断バーアーム３５２は、カッターホルダ３３０から様々な距離において複数の切断刃孔３５３を含んでいてもよい。カッターホルダ３３０からの切断刃３５１の距離は、金属シートから切断され、交換されるディスク３５５の修理直径を定義する。切断刃３５１は、切断する所望の直径に応じて異なる切断刃孔３５３に配置することができる。切断アーム３５０は取り外し可能であってもよく、異なる切断アーム３５０は、異なる修理直径に対して異なる距離に孔を有し得る。切断モータ３１０は、例えば圧縮空気によって駆動され得、切断刃３５１が金属シートを切断するように切断アーム３５０を回転させて、金属シートから取り外すことができるディスク３５５を作成することができる。金属シートを切断するために、切断アームは、切断刃３５１の各回転を下げて、複数回回転させてもよい。一実施形態では、切断刃３５１は、切断アーム３５０の両端に配置されてもよく、それによって、一様な下向きの圧力が、一様な円形の切断を提供でき、切り抜き穴の内面の反りを防止し得る。
【００３５】
図４Ａは、本開示の実施形態に係る金属シート修理装置の溶接ユニットの側面図である。図４Ｂは、本開示の実施形態に係る、図２Ａのベースユニットおよび図４Ａの溶接ユニットを含む溶接構成における、金属シート修理装置の側面図である。図４Ｃは、図４Ｂの溶接構成における装置の上面図である。図４Ｄは、図４Ａの溶接ユニットの斜視図である。
【００３６】
図４Ａ−４Ｄを参照すると、図示された溶接ユニット４００は、回転プラットフォーム４１０を回転させる溶接回転モータ４０５を含み、回転プラットフォーム４１０はギヤリング４１５上に配置されてもよい。溶接ユニット４００は、さらに、ヒンジ４２０、トレイ４２５、固定ヒンジ４３０、ギヤリング４１５に接触するドライブギヤ４３５、溶接回転モータ４０５を保持するモータマウント４４０、ロックブラケット４４５、およびサイドブラケット４５０を含んでもよい。溶接回転モータ４０５は、ギヤ歯を有するドライブギヤ４３５を回転させてもよい。そのギヤ歯は、ギヤリング４１５上で回転プラットフォーム４１０を回転させるために、ギヤリング４１５上の対応するギヤ歯と組み合う。
【００３７】
溶接アセンブリ５００は、回転プラットフォーム４１０に取り付けられてもよいし、また、実施形態はこれらに限定されないが、例えば、溶接回転モータ４０５の真正面に配置されてもよい。溶接アセンブリ５００は、ワイヤフィード４６０から溶接ワイヤを受け取ってもよい。ワイヤフィード４６０は、溶接ワイヤのスプール（図示せず）を保持するスプールホルダ４６１、および、スプールホルダ４６１を支持するスプールアーム４６２を含んでもよい。溶接アセンブリは、溶接制御ユニット６００によって制御されてもよい。なお、溶接制御ユニット６００の位置および向きは、図面中の構成に限定されない。ワイヤフィードおよび溶接速度は、溶接制御ユニット６００によって自動的に制御されてもよい。トーチ５１０の位置、およびワイヤの位置は手動で調節されてもよい。
【００３８】
溶接回転モータ４０５および溶接アセンブリ５００は、電力ユニット４７０から電力を受け取ってもよい。電力ユニット４７０は、例えば、壁コンセント、ポータブル発電機、電池等のエネルギー源から、例えば、０〜２２０Ｖ交流（ＡＣ）の電気を受け取ってもよく、また、溶接回転モータ４０５および溶接アセンブリ５００に電力を供給するために、例えば直流（ＤＣ）の電流駆動を提供する。一例では、ＤＣ電源は３６Ｖであってもよい。実施形態は、これらの例の電気値に限定されない。
【００３９】
溶接ユニット４００は、ギヤリング４１５が取り付けられている固定プラットフォーム４７５を含んでもよい。固定プラットフォーム４７５は、溶接ユニットガイド孔４８０を含んでもよい。溶接ユニットガイド孔４８０は、使用されるベースユニット４００の上方に溶接ユニット４００を安定かつ安全に配置するために、図４Ｃに示されるように、ガイドピンに対応して、ガイドピン（例えば、上記図２Ｂのガイドピン２２０）に配置されてもよい。例えば、各溶接ユニットガイド孔４８０は、溶接ユニット４００がベースユニット２００の上方に配置される場合に、溶接ユニット４００に横方向の安定性を提供するために、それぞれのガイドピン２２０の上方をスライドしてガイドピン２２０を囲むようにしてもよい。
【００４０】
図５は、図４Ａの溶接ユニットに含まれる溶接アセンブリの斜視図を示す。図５を参照すると、部分（ａ）、（ｂ）、および（ｃ）は、溶接アセンブリ５００の異なる斜視図を示す。図示された溶接アセンブリ５００は、トーチ５１０（図４Ａ参照）およびワイヤ位置の手動調節のための調節ノブ５２０、５３０を含む。図５において、円形矢印は、調節ノブ５２０、５３０の動作に対する時計回りの回転を示すが、実施形態はこれらに限定されない。図５の直線矢印は、それぞれの調節ノブ５２０、５３０の調節に基づいて生じる、トーチ５１０に対して利用可能な移動方向を示す。部分（ｃ）は、ブロック５５０に関連するクランピングを調節するためのロックレバー５４０を示す。
【００４１】
図６は、図５の溶接トーチアセンブリの動作を制御する溶接制御ユニットの側面図である。図６を参照すると、図示された溶接制御ユニット６００は、ハウジング６１０、非常停止制御部６２０、ワイヤ速度制御部６３０、溶接アセンブリ回転速度制御部６４０、溶接ワイヤの供給および方向（例えば、イン、停止、およびアウト）を制御するための第１のスイッチ６５０、および、溶接アセンブリ５００の移動の方向（例えば、時計回り、停止、および反時計回り）を制御するための第２のスイッチ６６０を含む。第１のスイッチ６５０および第２のスイッチ６６０は、それぞれ３方向スイッチであってもよい。溶接制御ユニット６００は、接続部６７０を介して溶接アセンブリ５００に電気的に接続されてもよい。溶接制御ユニット６００の実施形態は、これらの制御機能部に限定されない。
【００４２】
図７は、図６の溶接制御ユニット用の配線図である。図７を参照すると、非常停止部６２０は、電源からの電力が溶接アセンブリ５００に到達するのを直ちに停止するために電源７１０に電気的に接続されていてもよい。電源７１０は、図４Ａの電力ユニット４７０であってもよく、別個のユニットであってもよい。速度制御部６３０は、例えば、溶接アセンブリ５００に対して速度制御を提供するためのポテンショメータであってもよい。第２のスイッチ６６０は、溶接アセンブリ５００の電源オフ、溶接アセンブリ５００の前方スタート移動（例えば、時計回り）、および逆方向移動（例えば、反時計回り）を切り替える３方向スイッチであってもよい。溶接アセンブリ５００は、電源７１０から電力（例えば、ＤＣ３６Ｖ）が供給される溶接モータ７２０を含んでもよい。溶接モータ７２０は、接触部７３０を介して電源７１０に電気的に接続されてもよい。接触部７３０は、接続パネル７５０に対応する、ケーブル７４０を介した電気的接続部を有していてもよい。いくつかの例の接続は、図７の凡例に示されている。溶接制御ユニット６００の配線の実施形態は、例示された構成に限定されない。
【００４３】
＜操作の説明＞
【００４４】
図８は、本開示の実施形態に係る金属シート修理装置を操作する方法を示すフローチャートである。図８を参照すると、方法８００は、金属シートに対する、例えば、スチールベルト上に対する損傷を発見すること、および、損傷が起きた領域と少なくとも同じ大きさの修理直径を決定する（または選択する）こと（工程８１０）を含む。ベースユニット、例えば、図２Ａのベースユニット２００が、例えば１つ以上の取り付け機能部、例えば、図２Ａの真空カップ２３０によって金属シートに取り付けてられてもよい（工程８１５）。ベースユニットは、金属シートの片側の損傷領域に取り付けられてもよい。切断ユニット、例えば、図３Ａの切断ユニット３００が、ベースユニットに取り付けてられてもよい。選択された直径に対応するディスクが、損傷領域が切り取り内にあるように金属シートから切り取られてもよい（工程８２５）。その後、切断ユニットは、ベースユニットから取り外されてもよい（工程８３０）。
【００４５】
切断ユニットをベースユニットから取り外した後、真空カップによってベースユニットが金属シートに取り付けられたままの状態で、損傷したディスクを取り外してもよい（工程８３５）。交換ディスクを受け取るために、切断工程によって形成される金属シートの穴の表面を洗浄してもよく、例えば、バリを除去してもよいし、穴の内面をなめらかにしてもよい（工程８４０）。
【００４６】
交換ディスクは、以前になされていない場合はクリーニングすることもできる。交換ディスクは、修理直径に対応する特定の直径に、例えばプリカットブランク（ｐｒｅｃｕｔ  ｂｌａｎｋ）として、プリカットされてもよいし、または、修理時に作製されてもよい。交換ディスクは、金属シートと同じ材料であってもよい。
【００４７】
次に、バッキングサポート（図示せず）を、ベースユニットと反対側の金属シートの表面（例えば底面）に取り付けてもよいし（工程８４５）、また、交換ディスクの上面が金属シートの表面と同一レベルとなるように、交換ディスクが穴に入れられ、バッキングサポートによって支持されるようにしてもよい（工程８５０）。
【００４８】
続いて、溶接ユニット、例えば、図４Ａの溶接ユニット４００を、ベースユニットに取り付けてもよい（工程８５５）。溶接ユニットは、その後、自動的に金属シートに交換ディスクを溶接することができる（工程８６０）。一実施形態では、溶接は、１回転で行うことができる。溶接工程は、各側面から１回ずつの２回行われた従来の技術とは対照的に、金属シートの片側から１回だけ行う必要がある。加えて、本開示の自動溶接は、従来技術の手動溶接よりも時間がかからない。
【００４９】
溶接が完了した後、溶接ユニットをベースユニットから取り外してもよい（工程８６５）。この段階で、ベースユニットおよびバッキングサポートも取り外されてもよい。溶接ユニットがベースユニットに取り付けられている間に、ベースユニットを取り外してもよい。任意には、溶接部を強化するためにアニーリング処理を行ってもよい（工程８７０）。最後に、修理された金属シート上に平坦な表面を形成するために、溶接部の任意の隆起部分の研磨を行ってもよい（工程８７５）。
【００５０】
本発明は、その実施形態に関連して記載されているが、特に説明されていない追加、削除、修正、および置換が、添付の特許請求の範囲に定義されている本発明の趣旨および範囲から逸脱することなく行われ得ることは、当業者によって理解されよう。
【００５１】
本明細書において実質的に任意の複数形および／または単数形の用語の使用に関して、当業者は、文脈および／または用途に適切となるように、複数形から単数形、および／または、単数形から複数形に言い換えることができる。本明細書において、様々な単数形／複数形の置換は、明確化のために明示的に記載されていない。
【００５２】
本明細書で説明されている主題は、異なる他の構成要素（ｃｏｍｐｏｎｅｎｔ）内に含まれる、または、異なる他の構成要素に接続される、異なる構成要素を示す場合がある。このように示されたアーキテクチャは単なる例示であり、実際には、同じ機能性を実現する他の多くのアーキテクチャが実装され得ることが理解されるべきである。概念的な意味では、同じ機能性を実現するための構成要素の任意の配置は、所望の機能性が達成されるように効果的に「関連付けされている」。したがって、特定の機能性を達成するために、本明細書において組み合わされた任意の２つの構成要素は、アーキテクチャまたは中間の構成要素に関係なく、所望の機能性が達成されるように互いに「関連付けられる」と見なすことができる。同様に、関連付けられた任意の２つの構成要素は、所望の機能性を実現するために互いに「操作可能に接続されている」、または「操作可能に結合されている」と見なすこともでき、また、そのように関連付けることができる２つの任意の構成要素は、所望の機能性を実現するために互いに「操作可能に結合可能である」と見なすことができる。操作可能な結合可能である特定の例は、限定されないが、物理的に接合可能な、および／または、物理的に相互作用する構成要素、ならびに／もしくは、ワイヤレスで相互作用可能な、および／または、ワイヤレスで相互作用する構成要素、ならびに／もしくは、論理的に相互作用する、および／または、論理的に相互作用する構成要素を、含む。
【００５３】
場合によっては、１つ以上の構成要素は、「何々するように構成される」、「によって構成されている」、「何々するように操作可能な／動作する」、「に適合されている／に適合可能である」、「何々することができる」、「何々するように一致可能である／一致させられている」と、言及され得る。そのような用語（例えば、「何々するように構成される」）は、文脈上他の指示がない限り、一般的に、アクティブ状態の構成要素、および／または、非アクティブ状態の構成要素、および／または、スタンバイ状態の構成要素を含むことが可能であるということを、当業者は認識するであろう。
【００５４】
本明細書で説明されている本主題の特定の側面が示され説明されたが、本明細書の教示に基づいて、本明細書で説明されている主題およびそのより広範な側面から逸脱することなく、変形および修正が行われ得、したがって、添付の特許請求の範囲は、全てそのような変形および修正を、本明細書で説明されている主題の真の趣旨および範囲の中にあるものとして、その範囲内に包含すべきであることは、当業者には明らかであろう。一般に、本明細書で使用される用語、特に添付の特許請求の範囲（例えば、添付の特許請求の範囲の主要部）において使用されている用語は、一般的に「オープン」な用語として意図されている（例えば、用語「含んでいる（ｉｎｃｌｕｄｉｎｇ）」は「含むがそれに限定されない」と解釈されるべきであり、用語「有する」は「少なくとも有する」と解釈されるべきであり、用語「含む（ｉｎｃｌｕｄｅｓ）」は「含むがそれに限定されない」と解釈されるべきである、等）ということは、当業者によって理解されよう。
特定の数が導入される請求項記載（ｃｌａｉｍ  ｒｅｃｉｔａｔｉｏｎ）が意図されている場合、そのような意図は、請求項の中において明示的に記載され、そのような記載がない場合には、そのような意図が存在しないということは、当業者によってさらに理解されよう。例えば、理解を助ける一例を挙げると、以下の添付の特許請求の範囲は、請求項記載を導入するために、導入句「少なくとも１つ」および「１つまたは複数」の使用を含んでもよい。しかしながら、そのような句の使用は、不定冠詞「ａ」または「ａｎ」による請求項記載の導入が、そのような導入された請求項記載を含む任意の特定の請求項を、１つのそのような記載だけを含む請求項に限定することを暗示するものではない。たとえ、同じ請求項に導入句「１つまたは複数」または「少なくとも１つ」、および、「ａ」または「ａｎ」のような不定冠詞（例えば、「ａ」および／または「ａｎ」は、典型的には、「少なくとも１つ」または「１つまたは複数」を意味すると解釈されるべきである）を含む場合でも、そのように解釈されるべきではない。請求項記載を導入するために使用される定冠詞の使用に関しても、同じことが当てはまる。それに加えて、導入された請求項記載の特定の数が明示的に記載されていたとしても、そのような記載は、典型的には、少なくとも記載された数を意味するように解釈されるべきである（例えば、他の修飾子なしで「２つの記載（ｔｗｏ  ｒｅｃｉｔａｔｉｏｎｓ）」の単なる記載は、典型的には、「少なくとも２つ」の記載、または「２つ以上」の記載を意味する）ということを当業者は認識するであろう。さらに、「Ａ、Ｂ、およびＣ等のうちの少なくとも１つ」に類似した従来用法が使用される場合には、一般的に、そのような構造は、当業者がその用法を理解する意味で意図されている（例えば、「Ａ、Ｂ、およびＣのうちの少なくとも１つを有するシステム」は、Ａだけを有するシステム、Ｂだけを有するシステム、Ｃだけを有するシステム、ＡおよびＢを共に有するシステム、ＡおよびＣを共に有するシステム、ＢおよびＣを共に有するシステム、並びに／または、Ａ、Ｂ、およびＣを共に有するシステム等を含むことになるが、それに限定されない）。「Ａ、Ｂ、またはＣ等のうちの少なくとも１つ」に類似した従来用法が使用される場合には、一般的に、そのような構造は、当業者がその用法を理解する意味で意図されている（例えば、「Ａ、Ｂ、またはＣのうちの少なくとも１つを有するシステム」は、Ａだけを有するシステム、Ｂだけを有するシステム、Ｃだけを有するシステム、ＡおよびＢを共に有するシステム、ＡおよびＣを共に有するシステム、ＢおよびＣを共に有するシステム、並びに／または、Ａ、Ｂ、およびＣを共に有するシステム等を含むことになるが、それに限定されない）。典型的には、２つ以上の代替的な用語を提示する離接語および／または離接句は、明細書、特許請求の範囲、または図面のいずれの中において、文脈上他の指示がない限り、この用語のうちの１つを含む可能性、この用語のうちのいずれかを含む可能性、両方の用語を含む可能性、を意図することを理解されるべきであるということを、当業者によってさらに理解されよう。例えば、「ＡまたはＢ」��いう語句は、典型的には、「Ａ」である可能性、または、「Ｂ」である可能性、または「ＡおよびＢ」である可能性を含むことが理解されよう。
【００５５】
添付の特許請求の範囲に関しては、当業者は、その中で記載された工程が一般的に任意の順序で実施され得ることを理解するであろう。また、様々な工程のフローが所定の順番に提示されているが、様々な工程は、例示されているもの以外の順序で実施されてもよく、または、同時に実施されてもよいことを理解すべきである。このような代替な順序の例としては、文脈上他の指示がない限り、重複する、交互的な、割り込んだ、再順序の、漸次的な、準備的な、付加的な、同時的な、逆の、または、その他の変形の、順序が挙げられる。さらに、「に応答して」、「に関連して」等の用語、または、他の過去形容詞は、文脈上他の指示がない限り、一般的に、そのような変形を除外することは意図されていない。
【００５６】
上述の特定の例示的なプロセスおよび／またはデバイスおよび／または技術が、本明細書のどこかで、例えば、本明細書ともに出願された特許請求の範囲で、および／または、本出願のどこか等で教示されている、より一般的なプロセスおよび／またはデバイスおよび／または技術を代表していることを、当業者は理解するであろう。
【００５７】
本明細書において種々な態様および実施形態が開示されているが、他の態様および実施形態が、当業者には明らかであろう。本明細書に開示される種々な態様および実施形態は、例示の目的のものであり、限定することを意図せず、真の範囲および趣旨は、以下の特許請求の範囲において示されている。
【図１】
2020518481.tif 000003
【図２Ａ】
2020518481.tif 000004
【図２Ｂ】
2020518481.tif 000005
【図３Ａ】
2020518481.tif 000006
【図３Ｂ】
2020518481.tif 000007
【図３Ｃ】
2020518481.tif 000008
【図３Ｄ】
2020518481.tif 000009
【図３Ｅ】
2020518481.tif 000010
【図３Ｆ】
2020518481.tif 000011
【図４Ａ】
2020518481.tif 000012
【図４Ｂ】
2020518481.tif 000013
【図４Ｃ】
2020518481.tif 000014
【図４Ｄ】
2020518481.tif 000015
【図５】
2020518481.tif 000016
【図６】
2020518481.tif 000017
【図７】
2020518481.tif 000018
【図８】
2020518481.tif 000019
【国際調査報告】
2020518481.tif 000020
2020518481.tif 000021
2020518481.tif 000022